【手続補正書】
【提出日】平成26年12月17日(2014.12.17)
【手続補正１】
【補正対象書類名】特許請求の範囲
【補正対象項目名】全文
【補正方法】変更
【補正の内容】
【特許請求の範囲】
【請求項１】
画像を撮影する撮像手段と、
前記画像の撮影時の手振れを補正する手振れ補正手段と、
前記画像の撮影時に複数のマイクロフォンにより収音された音声信号と前記複数のマイクロフォンの配置情報とに基づいて前記画像上における音源位置を検出する音源位置検出手段と、
前記手振れ補正手段により補正された手振れ補正量に応じて前記画像上において前記検出された音源位置の表示位置を補正する表示位置補正手段と、
前記手振れ補正手段により補正された画像を表示器に表示するとともに、前記表示位置補正手段により補正された音源位置を当該画像上に表示する表示処理手段と
を具備することを特徴とする撮影装置。
【請求項２】
前記画像と、該画像の撮影時の画角及び手振れ補正量と、該画像の撮影時に複数のマイクロフォンにより収音された音声信号と、該画像の撮影時の複数のマイクロフォンの配置情報とを記憶する記憶手段
を更に具備し、
前記音源位置検出手段は、
前記記憶手段により記憶された前記画像の撮影時の前記音声信号及び前記配置情報に基づいて前記音源位置を検出し、
前記表示位置補正手段は、
前記記憶手段により記憶された前記画像の撮影時の前記手振れ補正量に基づいて前記音源位置の前記表示位置の補正を行なう
ことを特徴とする請求項１記載の撮影装置。
【請求項３】
前記撮像手段は、画角の拡大縮小を行なうズーム機能を有し、
前記表示位置補正手段は、
前記ズームの倍率が所定の倍率以上のときに前記表示位置の補正を行なう
ことを特徴とする請求項１又は２に記載の撮影装置。
【請求項４】
画像を撮影する撮像手段と、
前記画像の撮影時の手振れを補正する手振れ補正手段と、
前記手振れ補正手段により補正された手振れ補正量に応じて、複数のマイクロフォンからなる可動式の収音手段を駆動させ、前記可動式の収音手段の方向を調整する位置補正手段と、
前記画像の撮影時に前記複数のマイクロフォンにより収音された音声信号と前記複数のマイクロフォンの配置情報とに基づいて前記画像上における音源位置を検出する音源位置検出手段と、
前記手振れ補正手段により補正された画像を表示器に表示するとともに、前記音源位置検出手段により検出された音源位置を当該画像上に表示する表示処理手段と
を具備することを特徴とする撮影装置。
【請求項５】
前記可動式の収音手段は、
前記複数のマイクロフォンとそれらを固定するパン・チルト雲台とから構成される
ことを特徴とする請求項４記載の撮影装置。
【請求項６】
前記手振れ補正手段は、
前記撮像手段の光学系における支点を中心にして光軸の向きを変えることにより手振れの補正を行なう
ことを特徴とする請求項１から５のいずれか１項に記載の撮影装置。
【請求項７】
画像を撮影する撮像手段と、
前記画像の撮影時に複数のマイクロフォンにより収音された音声信号と前記複数のマイクロフォンの配置情報とに基づいて前記画像上における音源位置を検出する音源位置検出手段と、
前記音源位置を前記画像上にマッピングするマッピング手段と、
前記画像を構成する時間的に連続する複数の画像を比較し手振れがあるか否かを検出する手振れ検出手段と、
前記手振れが検出された場合、その手振れ補正量に基づいて前記音源位置がマッピングされた前記画像から有効画素領域を選択し、当該選択した有効画素領域を手振れ補正後の画像として出力する手振れ補正手段と、
前記手振れ補正手段により補正された画像を表示器に表示するとともに、前記マッピングされた音源位置を当該画像上に表示する表示処理手段と
を具備することを特徴とする撮影装置。
【請求項８】
前記複数のマイクロフォンは、
その配置位置の幾何中心が前記撮像手段の光学系における支点の中心と一致するように配置される
ことを特徴とする請求項１から７のいずれか１項に記載の撮影装置。
【請求項９】
前記画像は、動画像であることを特徴とする請求項１から８のいずれか１項に記載の撮影装置。
【請求項１０】
撮影装置の処理方法であって、
撮像手段が、画像を撮影する工程と、
手振れ補正手段が、前記画像の撮影時の手振れを補正する工程と、
音源位置検出手段が、前記画像の撮影時に複数のマイクロフォンにより収音された音声信号と前記複数のマイクロフォンの配置情報とに基づいて前記画像上における音源位置を検出する工程と、
表示位置補正手段が、前記手振れ補正手段により補正された手振れ補正量に応じて前記画像上において前記検出された音源位置の表示位置を補正する工程と、
表示処理手段が、前記手振れ補正手段により補正された画像を表示器に表示するとともに、前記表示位置補正手段により補正された音源位置を当該画像上に表示する工程と
を含むことを特徴とする処理方法。
【請求項１１】
撮影装置の処理方法であって、
撮像手段が、画像を撮影する工程と、
手振れ補正手段が、前記画像の撮影時の手振れを補正する工程と、
位置補正手段が、前記手振れ補正手段により補正された手振れ補正量に応じて、複数のマイクロフォンからなる可動式の収音手段を駆動させ、前記可動式の収音手段の方向を調整する工程と、
音源位置検出手段が、前記画像の撮影時に前記複数のマイクロフォンにより収音された音声信号と前記複数のマイクロフォンの配置情報とに基づいて前記画像上における音源位置を検出する工程と、
表示処理手段が、前記手振れ補正手段により補正された画像を表示器に表示するとともに、前記音源位置検出手段により検出された音源位置を当該画像上に表示する工程と
を含むことを特徴とする処理方法。
【請求項１２】
撮影装置の処理方法であって、
撮像手段が、画像を撮影する工程と、
音源位置検出手段が、前記画像の撮影時に複数のマイクロフォンにより収音された音声信号と前記複数のマイクロフォンの配置情報とに基づいて前記画像上における音源位置を検出する工程と、
マッピング手段が、前記音源位置を前記画像上にマッピングする工程と、
手振れ検出手段が、前記画像を構成する時間的に連続する複数の画像を比較し手振れがあるか否かを検出する工程と、
手振れ補正手段が、前記手振れが検出された場合、その手振れ補正量に基づいて前記音源位置がマッピングされた前記画像から有効画素領域を選択し、当該選択した有効画素領域を手振れ補正後の画像として出力する工程と、
表示処理手段が、前記手振れ補正手段により補正された画像を表示器に表示するとともに、前記マッピングされた音源位置を当該画像上に表示する工程と
を含むことを特徴とする処理方法。
【請求項１３】
前記画像は、動画像であることを特徴とする請求項１０から１２のいずれ１項に記載の処理方法。
【請求項１４】
コンピュータを、請求項１から９のいずれか１項に記載の撮影装置として機能させるためのプログラム。
【手続補正２】
【補正対象書類名】明細書
【補正対象項目名】００１３
【補正方法】変更
【補正の内容】
【００１３】
上記課題を解決するため、本発明の一態様は、画像を撮影する撮像手段と、前記画像の撮影時の手振れを補正する手振れ補正手段と、前記画像の撮影時に複数のマイクロフォンにより収音された音声信号と前記複数のマイクロフォンの配置情報とに基づいて前記画像上における音源位置を検出する音源位置検出手段と、前記手振れ補正手段により補正された手振れ補正量に応じて前記画像上において前記検出された音源位置の表示位置を補正する表示位置補正手段と、前記手振れ補正手段により補正された画像を表示器に表示するとともに、前記表示位置補正手段により補正された音源位置を当該画像上に表示する表示処理手段とを具備する。